(57)【要約】【課題】携帯情報端末と印刷装置との間で各種情報の送受信をおこない印刷する。【解決手段】印刷装置は、任意の画像データのイメージ画像とともに文字情報を合成するための文字入力領域が設定されたレイアウトテンプレートを複数有するテンプレートカタログデータを携帯情報端末から取得し、レイアウトテンプレートを提示し、提示した複数のレイアウトテンプレートの中から携帯情報端末によって選択された任意のレイアウトテンプレートを抽出し、抽出したレイアウトテンプレートの文字入力領域に対して、文字情報を入力するために携帯情報端末から文字情報を受信する受信し、抽出したレイアウトテンプレートを用いて、当該レイアウトテンプレートに設定された画像データのイメージ画像上の文字入力領域に、受信した文字情報を埋め込み合成し、合成処理したレイアウトテンプレートの画像データを印刷出力する。【選択図】        図１
2006272725.tif 000002
【特許請求の範囲】
【請求項１】
任意の画像データのイメージ画像とともに、当該イメージ画像上に文字情報を合成するための文字入力領域があらかじめ設定されたレイアウトテンプレートを複数有するテンプレートカタログデータを携帯情報端末から取得する取得手段と、
前記取得手段によって取得された前記テンプレートカタログデータに基づいて、複数の前記レイアウトテンプレートを提示する提示手段と、
前記提示手段によって提示された複数の前記レイアウトテンプレートのうち、前記携帯情報端末によって選択された任意のレイアウトテンプレートを抽出する抽出手段と、
前記抽出手段によって抽出された前記レイアウトテンプレートの前記文字入力領域に対して、前記文字情報を入力するために前記携帯情報端末から文字情報を受信する受信手段と、
前記抽出手段によって抽出された前記レイアウトテンプレートを用いて、当該レイアウトテンプレートに設定された前記画像データのイメージ画像上の前記文字入力領域に、前記受信手段によって受信された前記文字情報を埋め込み合成する合成処理手段と、
前記合成処理手段によって合成処理された前記レイアウトテンプレートの前記画像データを印刷出力する印刷手段と、
を備えることを特徴とする印刷装置。
【請求項２】
前記提示手段は、
前記取得手段によって取得された前記テンプレートカタログデータの複数の前記レイアウトテンプレートを印刷出力することを特徴とする請求項１に記載の印刷装置。
【請求項３】
前記提示手段は、
前記取得手段によって取得された前記テンプレートカタログデータの複数の前記レイアウトテンプレートを、前記テンプレートカタログデータの提供先を示す情報とともに提示することを特徴とする請求項１または２に記載の印刷装置。
【請求項４】
任意の画像データのイメージ画像とともに、当該イメージ画像上に文字情報を合成するための文字入力領域があらかじめ設定されたレイアウトテンプレートを複数有するテンプレートカタログデータを取得する取得手段と、
前記取得手段によって取得された前記テンプレートカタログデータに基づいて、複数の前記レイアウトテンプレートを提示する提示手段と、
前記提示手段によって提示された複数の前記レイアウトテンプレートのうち、任意のレイアウトテンプレートの前記文字入力領域に合成される前記文字情報を入力する文字情報入力手段と、
前記取得手段によって取得された前記テンプレートカタログデータと、前記文字情報入力手段によって入力された前記文字情報とを印刷装置に送信する送信手段と、
を備えることを特徴とする携帯情報端末。
【請求項５】
任意の画像データのイメージ画像とともに、当該イメージ画像上に文字情報を合成するための文字入力領域があらかじめ設定されたレイアウトテンプレートを複数有するテンプレートカタログデータを携帯情報端末から取得する取得工程と、
前記取得工程によって取得された前記テンプレートカタログデータに基づいて、複数の前記レイアウトテンプレートを提示する提示工程と、
前記提示工程によって提示された複数の前記レイアウトテンプレートのうち、前記携帯情報端末によって選択された任意のレイアウトテンプレートを抽出する抽出工程と、
前記抽出工程によって抽出された前記レイアウトテンプレートの前記文字入力領域に対して、前記文字情報を入力するために前記携帯情報端末から文字情報を受信する受信工程と、
前記抽出工程によって抽出された前記レイアウトテンプレートを用いて、当該レイアウトテンプレートに設定された前記画像データのイメージ画像上の前記文字入力領域に、前記受信工程によって受信された前記文字情報を埋め込み合成する合成処理工程と、
前記合成処理工程によって合成処理された前記レイアウトテンプレートの前記画像データを印刷出力する印刷工程と、
を含んだことを特徴とする印刷方法。
【請求項６】
任意の画像データのイメージ画像とともに、当該イメージ画像上に文字情報を合成するための文字入力領域があらかじめ設定されたレイアウトテンプレートを複数有するテンプレートカタログデータを取得する取得工程と、
前記取得工程によって取得された前記テンプレートカタログデータに基づいて、複数の前記レイアウトテンプレートを提示する提示工程と、
前記提示工程によって提示された複数の前記レイアウトテンプレートのうち、任意のレイアウトテンプレートの前記文字入力領域に合成される前記文字情報を入力する文字情報入力工程と、
前記取得工程によって取得された前記テンプレートカタログデータと、前記文字情報入力工程によって入力された前記文字情報とを印刷装置に送信する送信工程と、
を含んだことを特徴とする印刷方法。
【請求項７】
請求項５または６に記載の印刷方法をコンピュータに実行させることを特徴とする印刷プログラム。
【請求項８】
請求項７に記載の印刷プログラムを記録したことを特徴とするコンピュータに読み取り可能な記録媒体。
【発明の詳細な説明】
【技術分野】
【０００１】
この発明は、携帯情報端末と印刷装置との間で送受信される情報に基づいて印刷をおこなう印刷装置、携帯情報端末、印刷方法、印刷プログラム、および記録媒体に関する。
【背景技術】
【０００２】
近年、たとえば携帯電話機などの携帯情報端末から画像データなどのコンテンツをサーバにアップロードしてレイアウトし、所望の冊子などの印刷物の形態に出力することができる印刷用データ送信・管理システムが提供されている。
【０００３】
このような印刷用データ送信・管理システムを含む印刷システムは、たとえばつぎのように構成される。すなわち、ユーザの携帯情報端末からアクセスがおこなわれるサーバシステムにおいて、ユーザが携帯情報端末からコンテンツデータを送信してコンテンツデータベースに記憶させ、印刷物を構成するデータのレイアウトテンプレートを選択するレイアウトテンプレート指定処理と、レイアウトテンプレート中に挿入されるコンテンツデータ、文字データなどのデータの編集をおこなう編集指定処理と、印刷物の部数や紙質、サイズなどの出力指定をおこなう出力指定処理と、指定されたレイアウトテンプレート指定データ、編集指定データ、出力指定データをコンテンツデータベースに記憶させ、課金情報処理と、をおこないユーザデータベースに記憶させることにより、印刷物の発注処理をおこなうことが可能な構成とされている（たとえば、特許文献１を参照。）。
【０００４】
【特許文献１】特開２００３−２６３４７１号公報
【発明の開示】
【発明が解決しようとする課題】
【０００５】
しかしながら、上記従来技術の印刷システムでは、たとえば画像データなどのコンテンツデータを印刷出力したり、レイアウトテンプレートなどを選択して指定するために、携帯情報端末からサーバへアクセスし、コンテンツデータやレイアウトテンプレートの選択や指定などの各種の処理に対する操作入力をする必要がある。このため、たとえば携帯情報端末からの各種情報を用いて印刷装置によって印刷をおこなうまでに、携帯情報端末からサーバへの通信を確立して各種の操作入力をおこなう必要があり、サーバへの通信が必須となるとともに、携帯情報端末側のユーザにとって煩雑な作業が増えてしまうことが考えられる。特に、レイアウトテンプレートを選択して指定する処理に関しては、ユーザが容易かつ直感的に作業できる方が好ましいと想定される。
【０００６】
この発明は、上記課題を解決するためになされたものであり、携帯情報端末と印刷装置との間で各種情報の送受信をおこなって印刷することができる印刷装置、携帯情報端末、印刷方法、印刷プログラム、および記録媒体を提供することを目的とする。
【課題を解決するための手段】
【０００７】
上記課題を解決するために、この発明にかかる印刷装置は、任意の画像データのイメージ画像とともに、当該イメージ画像上に文字情報を合成するための文字入力領域があらかじめ設定されたレイアウトテンプレートを複数有するテンプレートカタログデータを携帯情報端末から取得する取得手段と、前記取得手段によって取得された前記テンプレートカタログデータに基づいて、複数の前記レイアウトテンプレートを提示する提示手段と、前記提示手段によって提示された複数の前記レイアウトテンプレートのうち、前記携帯情報端末によって選択された任意のレイアウトテンプレートを抽出する抽出手段と、前記抽出手段によって抽出された前記レイアウトテンプレートの前記文字入力領域に対して、前記文字情報を入力するために前記携帯情報端末から文字情報を受信する受信手段と、前記抽出手段によって抽出された前記レイアウトテンプレートを用いて、当該レイアウトテンプレートに設定された前記画像データのイメージ画像上の前記文字入力領域に、前記受信手段によって受信された前記文字情報を埋め込み合成する合成処理手段と、前記合成処理手段によって合成処理された前記レイアウトテンプレートの前記画像データを印刷出力する印刷手段と、を備えることを特徴とする。
【０００８】
この発明の印刷装置によれば、文字入力領域があらかじめ設定されたレイアウトテンプレートを複数有するテンプレートカタログデータから、携帯情報端末によって選択された任意のレイアウトテンプレートを抽出して用いることで、当該レイアウトテンプレートに設定された画像データのイメージ画像上の文字入力領域に携帯情報端末から受信した文字情報が埋め込み合成され印刷出力される。
【０００９】
これにより、携帯情報端末から各種情報を受信するといった簡単な作業で文字情報を合成したレイアウトテンプレートの画像データを印刷することができ、画像印刷処理におけるユーザにとっての煩雑な作業の軽減を図ることができる。
【００１０】
また、レイアウトテンプレートを複数有するテンプレートカタログデータに基づいて、提示された複数のレイアウトテンプレートから携帯情報端末によって選択された任意のレイアウトテンプレートを抽出して利用することができ、レイアウトテンプレートを選択して指定する処理などに関してユーザが容易かつ直感的に作業することができる。
【００１１】
また、この発明の印刷装置の前記提示手段は、前記取得手段によって取得された前記テンプレートカタログデータの複数の前記レイアウトテンプレートを印刷出力することを特徴とする。
【００１２】
このため、取得されたテンプレートカタログデータの複数のレイアウトテンプレートは、たとえば所定の印刷用紙などに印刷される。
【００１３】
これにより、複数のレイアウトテンプレートの中から、任意のレイアウトテンプレートを選択する際に、印刷された複数のレイアウトテンプレートを視認しながら容易かつ直感的に選択することができる。
【００１４】
また、この発明の印刷装置の前記提示手段は、前記取得手段によって取得された前記テンプレートカタログデータの複数の前記レイアウトテンプレートを、前記テンプレートカタログデータの提供先を示す情報とともに提示することを特徴とする。
【００１５】
このため、取得されたテンプレートカタログデータの複数のレイアウトテンプレートは、テンプレートカタログデータの提供先を示す情報とともに提示される。
【００１６】
これにより、取得したテンプレートカタログデータの提供先を容易かつ直感的に確認することができる。
【００１７】
この発明にかかる携帯情報端末は、任意の画像データのイメージ画像とともに、当該イメージ画像上に文字情報を合成するための文字入力領域があらかじめ設定されたレイアウトテンプレートを複数有するテンプレートカタログデータを取得する取得手段と、前記取得手段によって取得された前記テンプレートカタログデータに基づいて、複数の前記レイアウトテンプレートを提示する提示手段と、前記提示手段によって提示された複数の前記レイアウトテンプレートのうち、任意のレイアウトテンプレートの前記文字入力領域に合成される前記文字情報を入力する文字情報入力手段と、前記取得手段によって取得された前記テンプレートカタログデータと、前記文字情報入力手段によって入力された前記文字情報とを印刷装置に送信する送信手段と、を備えることを特徴とする。
【００１８】
この発明の携帯情報端末によれば、文字入力領域があらかじめ設定されたレイアウトテンプレートを複数有するテンプレートカタログデータが取得され、任意のレイアウトテンプレートの文字入力領域に文字情報が入力されて、テンプレートカタログデータと文字情報とが印刷装置に送信される。
【００１９】
これにより、携帯情報端末からテンプレートカタログデータと文字情報とを印刷装置に対して送信し、印刷装置に文字情報が入力された画像データの印刷をおこなわせることができる。
【００２０】
さらに、この発明にかかる印刷方法は、任意の画像データのイメージ画像とともに、当該イメージ画像上に文字情報を合成するための文字入力領域があらかじめ設定されたレイアウトテンプレートを複数有するテンプレートカタログデータを携帯情報端末から取得する取得工程と、前記取得工程によって取得された前記テンプレートカタログデータに基づいて、複数の前記レイアウトテンプレートを提示する提示工程と、前記提示工程によって提示された複数の前記レイアウトテンプレートのうち、前記携帯情報端末によって選択された任意のレイアウトテンプレートを抽出する抽出工程と、前記抽出工程によって抽出された前記レイアウトテンプレートの前記文字入力領域に対して、前記文字情報を入力するために前記携帯情報端末から文字情報を受信する受信工程と、前記抽出工程によって抽出された前記レイアウトテンプレートを用いて、当該レイアウトテンプレートに設定された前記画像データのイメージ画像上の前記文字入力領域に、前記受信工程によって受信された前記文字情報を埋め込み合成する合成処理工程と、前記合成処理工程によって合成処理された前記レイアウトテンプレートの前記画像データを印刷出力する印刷工程と、を含んだことを特徴とする。
【００２１】
また、この発明にかかる印刷方法は、任意の画像データのイメージ画像とともに、当該イメージ画像上に文字情報を合成するための文字入力領域があらかじめ設定されたレイアウトテンプレートを複数有するテンプレートカタログデータを取得する取得工程と、前記取得工程によって取得された前記テンプレートカタログデータに基づいて、複数の前記レイアウトテンプレートを提示する提示工程と、前記提示工程によって提示された複数の前記レイアウトテンプレートのうち、任意のレイアウトテンプレートの前記文字入力領域に合成される前記文字情報を入力する文字情報入力工程と、前記取得工程によって取得された前記テンプレートカタログデータと、前記文字情報入力工程によって入力された前記文字情報とを印刷装置に送信する送信工程と、を含んだことを特徴とする。
【００２２】
この発明の印刷方法によれば、文字入力領域があらかじめ設定されたレイアウトテンプレートを複数有するテンプレートカタログデータから、携帯情報端末によって選択された任意のレイアウトテンプレートを抽出して用いることで、当該レイアウトテンプレートに設定された画像データのイメージ画像上の文字入力領域に携帯情報端末から受信した文字情報が埋め込み合成され印刷出力されるとともに、文字入力領域があらかじめ設定されたレイアウトテンプレートを複数有するテンプレートカタログデータが取得され、任意のレイアウトテンプレートの文字入力領域に文字情報が入力されて、テンプレートカタログデータと文字情報とが印刷装置に送信される。
【００２３】
これにより、携帯情報端末から各種情報を受信するといった簡単な作業で文字情報を合成したレイアウトテンプレートの画像データを印刷することができ、画像印刷処理におけるユーザにとっての煩雑な作業の軽減を図ることができるとともに、携帯情報端末からテンプレートカタログデータと文字情報とを印刷装置に対して送信し、印刷装置に画像データの印刷をおこなわせることができる。
【００２４】
また、この発明の印刷プログラムは、上述した印刷方法をコンピュータに実行させることを特徴とする。
【００２５】
このため、この発明の印刷プログラムを実行することにより、上述した印刷方法によって得られる動作がコンピュータによって実現される。
【００２６】
これにより、上述した印刷方法の実現によって得られる各種効果を奏することができる。
【００２７】
さらに、この発明の記録媒体は、上述した印刷プログラムをコンピュータに読み取り可能に記録している。
【００２８】
このため、記録された印刷プログラムをコンピュータによって読み取らせ、実行させることによって、上述した印刷プログラムの実行によって得られる各種動作が実現される。
【００２９】
これにより、上述した印刷プログラムの実行によって得られる各種効果を奏することができる。
【発明を実施するための最良の形態】
【００３０】
以下に添付図面を参照して、この発明にかかる印刷装置、携帯情報端末、印刷方法、印刷プログラム、および記録媒体の好適な実施の形態を詳細に説明する。
【００３１】
（印刷装置および携帯情報端末の機能的構成）
図１は、この実施の形態における印刷装置および携帯情報端末の機能的構成の一例を示すブロック図である。この実施の形態における印刷装置１００は、取得部１０１と、提示部１０２と、抽出部１０３と、受信部１０４と、合成処理部１０５と、印刷部１０６と、を備え、たとえば表示画面１０７を有して構成されている。また、この実施の形態における携帯情報端末１５０は、取得部１５１と、提示部１５２と、文字情報入力部１５３と、送信部１５４と、表示画面１５５と、を備えて構成されている。
【００３２】
これら印刷装置１００と携帯情報端末１５０とは、たとえば赤外線通信によって直接各種情報の送受信が可能な構成となっている。ここで、印刷装置１００としては、具体的には、たとえばスキャナ、プリンタ、コピー機能が一体となった複合機を用いることができる。また、携帯情報端末１５０としては、たとえば携帯電話機やＰＤＡ（Ｐｅｒｓｏｎａｌ  Ｄｉｇｉｔａｌ  Ａｓｓｉｓｔａｎｃｅ）などの携帯可能な情報端末を用いることができる。
【００３３】
印刷装置１００の取得部１０１は、任意の画像データのイメージ画像とともに、当該イメージ画像上に文字列などの文字情報を合成するための文字入力領域があらかじめ設定されたレイアウトテンプレートを複数有するテンプレートカタログデータを、携帯情報端末１５０から取得する。提示部１０２は、取得部１０１によって取得されたテンプレートカタログデータに基づいて、複数のレイアウトテンプレートを提示する。
【００３４】
抽出部１０３は、提示部１０２によって提示された複数のレイアウトテンプレートのうち、携帯情報端末１５０によって選択された任意のレイアウトテンプレートを抽出する。受信部１０４は、抽出部１０３によって抽出されたレイアウトテンプレートの文字入力領域に対して、文字情報を入力するために携帯情報端末１５０から文字情報を受信する。
【００３５】
合成処理部１０５は、抽出部１０３によって抽出されたレイアウトテンプレートを用いて、当該レイアウトテンプレートに設定された画像データのイメージ画像上の文字入力領域に、受信部１０４によって受信された文字情報を埋め込み合成する。印刷部１０６は、合成処理部１０５によって合成処理されたレイアウトテンプレートの画像データを印刷出力する。
【００３６】
なお、提示部１０２は、取得部１０１によって取得されたテンプレートカタログデータの複数のレイアウトテンプレートを印刷部１０６に出力し、印刷部１０６によってこれら複数のレイアウトテンプレートを印刷出力して提示する。
【００３７】
また、この提示部１０２は、取得部１０１によって取得されたテンプレートカタログデータの複数のレイアウトテンプレートを、テンプレートカタログデータの提供先を示す情報とともに提示する。ここで、テンプレートカタログデータの提供先を示す情報とは、たとえば提供先のＵＲＬ（Ｕｎｉｆｏｒｍ  Ｒｅｓｏｕｒｃｅ  Ｌｏｃａｔｏｒ）を示す文字列やバーコードなどのことをいう。この場合、バーコードとしては、たとえば２次元バーコードで携帯情報端末１５０にテンプレートカタログデータの提供先のＵＲＬを認識させられるものが好適である。
【００３８】
一方、携帯情報端末１５０の取得部１５１は、任意の画像データのイメージ画像とともに、当該イメージ画像上に文字情報を合成するための文字入力領域があらかじめ設定されたレイアウトテンプレートを複数有するテンプレートカタログデータを取得する。このテンプレートカタログデータは、たとえば外部のサーバなどから取得される。提示部１５２は、取得部１５１によって取得されたテンプレートカタログデータに基づいて、複数のレイアウトテンプレートを提示する。
【００３９】
文字情報入力部１５３は、提示部１５２によって提示された複数のレイアウトテンプレートのうち、任意のレイアウトテンプレートの文字入力領域に合成される文字情報を入力する。送信部１５４は、取得部１５１によって取得されたテンプレートカタログデータと、文字情報入力部１５３によって入力された文字情報とを印刷装置１００に送信する。
【００４０】
（印刷装置のハードウェア構成）
図２は、この実施の形態における印刷装置１００のハードウェア構成の一例を示すブロック図である。なお、以降において、既に説明した部分と重複する箇所は同一の符号を附して説明を省略する。この実施の形態における印刷装置１００は、ＣＰＵ２０１と、ＲＯＭ２０２と、ＲＡＭ２０３と、ユーザ操作部２０４と、ディスプレイ２０５と、インタフェース（Ｉ／Ｆ）２０６と、ＨＤＤ２０７と、ＨＤ２０８と、記録媒体デコード部２０９と、記録媒体２１０と、印刷出力部２１１と、を備えて構成され、レイアウトテンプレートを複数有するテンプレートカタログデータから、携帯情報端末１５０によって選択された任意のレイアウトテンプレートを抽出して用い、当該レイアウトテンプレートに設定された画像データのイメージ画像上の文字入力領域に携帯情報端末１５０から受信した文字情報を埋め込み合成して印刷出力する。
【００４１】
ＣＰＵ（Ｃｅｎｔｒａｌ  Ｐｒｏｃｅｓｓｉｎｇ  Ｕｎｉｔ）２０１は、所定の演算処理を実行し、この印刷装置１００の全体を制御するとともに、前述の提示部１０２、抽出部１０３、合成処理部１０５、および印刷部１０６の機能を実現する。ＲＯＭ（Ｒｅａｄ  Ｏｎｌｙ  Ｍｅｍｏｒｙ）２０２は、各種制御プログラムを格納する。ＲＯＭ２０２に格納されたデータは、ユーザの操作によって書き換えることが可能ではあるが、電源ＯＦＦによって消去されることはないものとする。
【００４２】
ＣＰＵ２０１は、たとえばＲＯＭ２０２などに格納された制御プログラムに基づいて、後述するＩ／Ｆ２０６を介して携帯情報端末１５０からテンプレートカタログデータを取得し、携帯情報端末１５０によって選択された任意のレイアウトテンプレートを抽出して、携帯情報端末１５０から受信した文字情報を抽出した任意のレイアウトテンプレートの文字入力領域に埋め込み合成する。また、ＣＰＵ２０１は、印刷出力部２１１を制御して、合成処理したレイアウトテンプレートの画像データの印刷をおこなう。
【００４３】
さらに、ＣＰＵ２０１は、印刷出力部２１１を制御して、取得したテンプレートカタログデータの複数のレイアウトテンプレートの印刷をおこなう。また、ＣＰＵ２０１は、後述するディスプレイ２０５を制御して、取得したテンプレートカタログデータの複数のレイアウトテンプレートをディスプレイ２０５に表示してもよい。この場合、ＣＰＵ２０１は、取得したテンプレートカタログデータの複数のレイアウトテンプレートを、テンプレートカタログデータの提供先を示す情報（提供先のＵＲＬを示す文字列やバーコードなど）とともに印刷したり表示したりする。
【００４４】
また、ＣＰＵ２０１は、たとえばディスプレイ２０５を制御して、取得したテンプレートカタログデータの複数のレイアウトテンプレートの他に、選択された任意のレイアウトテンプレートや、取得した画像データや、合成処理した画像データなどを表示してもよい。このように、ＣＰＵ２０１およびディスプレイ２０５によって表示画面１０７の機能を実現する。
【００４５】
ＲＡＭ（Ｒａｎｄｏｍ  Ａｃｃｅｓｓ  Ｍｅｍｏｒｙ）２０３は、可変的なデータを書き換え自在に記憶し、ＣＰＵ２０１のワークエリアとして機能する。ＲＡＭ２０３は、電源ＯＦＦによって記憶されたデータが消去される揮発性のメモリであってもよいし、バッテリなどによってバックアップされることによる不揮発性のメモリとしてもよい。このＲＡＭ２０３は、たとえば携帯情報端末１５０からＩ／Ｆ２０６を介して受信したテンプレートカタログデータや文字情報などの各種情報を一時的あるいは恒久的に記憶する。
【００４６】
ユーザ操作部２０４は、文字、数値、各種指示など、ユーザによって入力操作された情報をＣＰＵ２０１に対して出力する。ユーザ操作部２０４の構成としては、物理的な押下／非押下を検出する押ボタンスイッチ、タッチパネル、キーボード、ジョイスティック、トラックボールなど公知の各種形態を採用することが可能である。このユーザ操作部２０４は、外部からの音声を入力するマイクを用いて、音声によって入力操作を行う形態としてもよい。
【００４７】
なお、このユーザ操作部２０４は、印刷装置１００本体に対して一体的に設けられていてもよいし、リモコンのように印刷装置１００に対して着脱可能で離間的に操作可能な形態であってもよい。ユーザ操作部２０４は、上述した各種形態のうちいずれか単一の形態で構成されていてもよいし、複数の形態で構成されていてもよい。ユーザは、ユーザ操作部２０４の形態に応じて適宜入力操作をおこなうことで情報を入力する。ユーザ操作部２０４の操作によって入力される情報として、たとえば印刷によって提示される複数のレイアウトテンプレートの選択を指示する情報などが挙げられる。
【００４８】
ユーザ操作部２０４の形態として、たとえば、タッチパネルを採用する場合、このタッチパネルはディスプレイ２０５の表示画面側に積層して使用される。この場合、ディスプレイ２０５における表示タイミングとタッチパネル（ユーザ操作部２０４）に対する操作タイミングおよびその位置座標とを管理することによって、入力情報を認識する。ユーザ操作部２０４の形態としてディスプレイ２０５に積層されたタッチパネルを採用することにより、ユーザ操作部２０４を大型化することなく多くの情報入力を行うことができる。なお、タッチパネルとしては、抵抗膜式、感圧式など公知の各種タッチパネルを用いることが可能である。
【００４９】
ディスプレイ２０５は、前述の表示画面１０７の機能を実現し、たとえばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置を含む。このディスプレイ２０５は、具体的には、たとえば図示しない映像Ｉ／Ｆや映像Ｉ／Ｆに接続された映像表示用のディスプレイ装置によって構成することができる。映像Ｉ／Ｆは、具体的には、たとえば、ディスプレイ装置全体の制御を行うグラフィックコントローラと、即時表示可能な画像情報を一時的に記憶するＶＲＡＭ（Ｖｉｄｅｏ  ＲＡＭ）などのバッファメモリと、グラフィックコントローラから出力される画像情報に基づいて、ディスプレイ装置を表示制御する制御ＩＣやＧＰＵ（Ｇｒａｐｈｉｃｓ  Ｐｒｏｃｅｓｓｉｎｇ  Ｕｎｉｔ）などによって構成される。
【００５０】
ディスプレイ２０５には、アイコン、カーソル、メニュー、ウィンドウ、あるいは文字や画像などの各種情報が表示される。また、ディスプレイ２０５には、たとえば文字情報が合成処理された画像データのイメージ画像や、各種の印刷条件などの情報が表示される。なお、印刷条件などの情報は、たとえばアイコンの形態で表示されており、ユーザ操作部２０４によってカーソルを操作しアイコンを指定することで、印刷条件などを指定することができる。
【００５１】
Ｉ／Ｆ２０６は、たとえば通信Ｉ／Ｆの機能を備え、前述の取得部１０１や受信部１０４の機能を実現し、リモートコントロール機器などの他の機器と印刷装置１００との間で各種情報の送受信をおこなったり、たとえば携帯情報端末１５０との間で通信をおこなったり、インターネットなどのネットワーク網を介して図示しない外部のサーバとの間で通信をおこなったりする。
【００５２】
ここで、このＩ／Ｆ２０６における各種情報の送受信は、たとえば、有線、無線を問わずおこなわれる。このＩ／Ｆ２０６は、この実施の形態では、具体的には携帯情報端末１５０と印刷装置１００との間で、テンプレートカタログデータや文字情報などの送受信をおこなう。この実施の形態のＩ／Ｆ２０６は、たとえば携帯電話機のように、図示しない基地局を介して通信サーバと通信をおこなう通信モジュールであってもよく、携帯情報端末１５０との間で直接無線通信をおこなう通信モジュールであってもよい。
【００５３】
ここで、Ｉ／Ｆ２０６による無線通信とは、通信の媒体となるワイヤ線を使用せずに、電波や赤外線、超音波などを用いておこなわれる通信のことをいう。無線通信を可能とする規格には、たとえば無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＨｏｍｅＲＦ（Ｈｏｍｅ  Ｒａｄｉｏ  Ｆｒｅｑｕｅｎｃｙ）、ＢｌｕｅＴｏｏｔｈなどの各種の技術があるが、この実施の形態においては公知の各種の無線通信技術を利用することができる。なお、ここでは、たとえば標準仕様やコストなどの面から、赤外線通信を好ましい一例として用いることができる。
【００５４】
ＨＤＤ（Ｈａｒｄ  Ｄｉｓｋ  Ｄｒｉｖｅ）２０７は、ＨＤ（Ｈａｒｄ  Ｄｉｓｋ）２０８に対する情報の読み取り／書き込みの制御を行う。なお、印刷プログラムが、たとえば、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、ＣＤ−ＲＯＭ（ＣＤ−Ｒ、ＣＤ−ＲＷ）、ＭＯ（Ｍａｇｎｅｔｏ−Ｏｐｔｉｃａｌ  ｄｉｓｋ）、メモリカードなどに記録されている場合、ＨＤＤ２０７に代えて、これらに記録された情報の少なくとも読み取りが可能な専用のドライブ装置を用いることができる。
【００５５】
ＨＤ２０８は、各種制御プログラムや各種情報を、たとえばコンピュータに読み取り可能に記録する。ＨＤ２０８は、ＨＤＤ２０７による情報の書き込みを受け付けるとともに、書き込まれた情報を不揮発に記録する。この実施の形態のＨＤ２０８には、たとえば後述する印刷装置１００の印刷処理の実行を実現する印刷プログラムが記録されている。これにより、この実施の形態では、ＨＤ２０８によってこの発明の記録媒体が実現される。また、この実施の形態のＨＤ２０８には、印刷プログラムの実行に際して必要な各種の情報が記録されている。
【００５６】
なお、印刷プログラムは、ＨＤ２０８に記録されているものに限らない。ＨＤ２０８に代えて、上述したＤＶＤ、ＣＤ、ＣＤ−ＲＯＭ（ＣＤ−Ｒ、ＣＤ−ＲＷ）、ＭＯ、メモリカードなどに印刷プログラムが記録されていてもよい。印刷プログラムの実行に際し、ＤＶＤ、ＣＤ、ＣＤ−ＲＯＭ（ＣＤ−Ｒ、ＣＤ−ＲＷ）、ＭＯ、メモリカードなどに記録された印刷プログラムを用いる場合、この印刷装置１００では、ＤＶＤ、ＣＤ、ＣＤ−ＲＯＭ（ＣＤ−Ｒ、ＣＤ−ＲＷ）、ＭＯ、メモリカードなどに記録された情報の読み取りが可能な後述する記録媒体デコード部２０９によって印刷プログラムが読み込まれる。
【００５７】
ＨＤ２０８には、たとえば印刷装置１００を駆動するための専用の駆動ドライバが格納されている。駆動ドライバは、後述する印刷出力部２１１を動作させるためのソフトウェアによる処理でＣＰＵ２０１と印刷処理部２１１との橋渡し的役割を担う。なお、これに限らず、駆動ドライバを、たとえばファームウェアにより構成したり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成したりしてもよい。
【００５８】
記録媒体デコード部２０９は、たとえば記録媒体２１０に記録された画像データや印刷プログラムなどの各種情報の読み取りを制御する。なお、この発明を実現する記録媒体（この実施の形態ではＨＤ２０８）と、記録媒体デコード部２０９が読み取り対象とする記録媒体２１０とは異なるものである。以降、記録媒体デコード部２０９が読み取り対象とする記録媒体２１０を記録メディアとして符号２１０を付して説明する。また、画像データなどは、記録媒体２１０に記録されたものに限られず、たとえば携帯情報端末１５０に記憶されたものや、Ｉ／Ｆ２０６を介して印刷装置１００に取得されたものなど、種々の形態のものを利用することができる。
【００５９】
記録媒体デコード部２０９は、可搬性を有し、記録媒体デコード部２０９に対して着脱可能な記録メディア２１０を読み取り対象とする。具体的に、記録メディア２１０は、たとえば、ＤＶＤ、ＣＤ、ＣＤ−ＲＯＭ（ＣＤ−Ｒ、ＣＤ−ＲＷ）、ＭＯ、メモリカードなどによって実現することができる。
【００６０】
記録メディア２１０が、たとえば、ＣＤ−ＲＯＭ（ＣＤ−Ｒ、ＣＤ−ＲＷ）である場合、記録媒体デコード部２０９は、ＣＤ−ＲＯＭドライブによって実現される。ＣＤ−ＲＯＭドライブについては、公知の技術であるため、図示および説明を省略する。たとえば、ＤＶＤ、ＣＤ、ＣＤ−ＲＯＭ（ＣＤ−Ｒ、ＣＤ−ＲＷ）、ＭＯ、メモリカードなどによって記録メディア２１０を実現した場合には、これらの記録メディア２１０に対する情報の読み取りが可能なドライブ装置によって記録媒体デコード部２０９が実現される。
【００６１】
印刷出力部２１１は、用紙などの記録媒体上に画像を形成する画像形成エンジン、当該画像形成エンジンを通過するように用紙などの記録媒体を搬送する搬送モータなどを備えている。また、印刷装置１００がスキャナやコピーの機能を備える場合は、画像形成エンジンは、用紙などの記録媒体上に形成された画像を読み込んでイメージ画像を形成するようにしてもよい。なお、この実施の形態における携帯情報端末１５０のハードウェア構成においても、上記印刷装置１００とほぼ同様のハードウェア構成を適用することができるため、説明は省略する。
【００６２】
（印刷装置および携帯情報端末による印刷処理手順）
図３は、この実施の形態における印刷装置および携帯情報端末による印刷処理手順の一例を示すフローチャートである。図３を参照して、以下に、この実施の形態における印刷処理手順について説明する。なお、以降において、主に図１および図２を参照しながら説明をおこなうが、既に説明した部分と重複する箇所は同一の符号を附して説明を省略する。
【００６３】
具体的に、図３に示す処理は、図２に示した印刷装置１００のＲＯＭ２０２、ＲＡＭ２０３、ＨＤ２０８、記録媒体（記録メディア）２１０などに記憶（記録）された印刷プログラムをＣＰＵ２０１が実行するとともに、携帯情報端末１５０から各種情報を受信することによって実現する。印刷処理手順は、まず、たとえばユーザが操作する携帯情報端末１５０によって、外部のサーバなどへの通信がおこなわれ、レイアウトテンプレートのダウンロードサイトへアクセスする（ステップＳ３０１）。
【００６４】
図４は、ステップＳ３０１の処理によってダウンロードサイトへアクセスした携帯情報端末１５０の表示画面１５５の一例を示す図である。表示画面１５５には、文字入力領域があらかじめ設定された複数のレイアウトテンプレートを集めたレイアウトテンプレート集を、ユーザに選択させるための選択項目４０１が表示されている。選択項目４０１には、たとえば１．年賀はがき（写真）のレイアウトテンプレート集を選択させる項目、２．年賀はがき（イラスト）のレイアウトテンプレート集を選択させる項目、３．年賀はがき（その他）のレイアウトテンプレート集を選択させる項目、４．クリスマスカードのレイアウトテンプレート集を選択させる項目がある。
【００６５】
ステップＳ３０１においてダウンロードサイトへアクセスしたのち、携帯情報端末１５０によって、任意のレイアウトテンプレート集を選択決定する（ステップＳ３０２）。
【００６６】
図５は、ステップＳ３０２の処理によって任意のテンプレート集を選択決定した携帯情報端末１５０の表示画面１５５の一例を示す図である。表示画面１５５には、上記選択項目４０１の中から、３．年賀はがき（その他）のレイアウトテンプレート集が選択決定された旨を示す『３．年賀はがき（その他）のカタログをダウンロードします。』という確認文が表示されている。なお、確認文は一例であって、携帯情報端末１５０においてテンプレートカタログデータを取得することを提示する旨の内容であれば、いかなるもの（たとえば、イラストやアニメーションを用いたもの）であってもよい。また、確認文の表示に代えて、あるいは確認文の表示とともに、所定の確認音や音声メッセージを出力するようにしてもよい。
【００６７】
ステップＳ３０２において任意のレイアウトテンプレート集を選択決定したのち、携帯情報端末１５０によって、任意のレイアウトテンプレート集のテンプレートカタログデータをダウンロードして取得する（ステップＳ３０３）。なお、このステップＳ３０３においてダウンロードされるテンプレートカタログデータは、通信コストや通信時間の観点から、データ容量を小さく抑えることができるように、レイアウトテンプレート集に含まれる各レイアウトテンプレートのサムネイル表示を列挙する形式で構成されているとよい。
【００６８】
図６は、ステップＳ３０３の処理によって任意のレイアウトテンプレート集のテンプレートカタログデータをダウンロードした携帯情報端末１５０の表示画面１５５の一例を示す図である。表示画面１５５には、３．年賀はがき（その他）のレイアウトテンプレート集のテンプレートカタログデータがダウンロードされた旨を示す『ダウンロード完了。３．年賀はがき（その他）のレイアウトテンプレートを印刷します。』という確認文が表示されている。
【００６９】
そして、携帯情報端末１５０によって、印刷装置１００に対して、取得したテンプレートカタログデータを送信する（ステップＳ３０４）。印刷装置１００は、Ｉ／Ｆ２０６を介して、送信されたテンプレートカタログデータを受信し、ＣＰＵ２０１によって、複数のレイアウトテンプレートを提示するために、テンプレートカタログデータの複数のレイアウトテンプレートを印刷出力する（ステップＳ３０５）。ここでは、このステップＳ３０５において、複数のレイアウトテンプレートを印刷出力することによって、複数のレイアウトテンプレートを提示する。
【００７０】
図７は、ステップＳ３０５の処理によって印刷出力された複数のレイアウトテンプレートの印刷シートの一例を示す図である。この印刷シート７００には、画像データのイメージ画像７０１上の所定位置に文字入力領域７０２があらかじめ設定された複数のレイアウトテンプレート７０３と、複数のレイアウトテンプレート７０３を有するテンプレートカタログデータの提供先を示す文字列７０４と、が印刷されている。ここでは、番号（１）〜（１２）の複数のレイアウトテンプレート７０３が印刷されている。また、文字列７０４には、たとえばテンプレートカタログデータの提供先を示す旨の『３．年賀はがき（その他）のレイアウトテンプレート  次回アクセスする場合にはｈｔｔｐ：／／ｗｗｗ．△△△△．ｃｏ．ｊｐにアクセスしてください。（有効期限○○月○○日まで）』という文字が表示されている。この印刷シート７００において、テンプレートカタログデータの提供先を示す情報を表示することによって、たとえば印刷処理が途中で中断した場合でも、再度ダウンロードサイトへ容易にアクセスすることができるようになり、作業性を向上させることができる。なお、テンプレートカタログデータの提供先を示す情報は、上記のようなＵＲＬの他に、たとえば２次元バーコードなどでもよい。
【００７１】
ステップＳ３０５において複数のレイアウトテンプレート７０３を印刷出力したのち、携帯情報端末１５０によって、任意のレイアウトテンプレートを選択決定する（ステップＳ３０６）。このステップＳ３０６における選択決定処理は、たとえば印刷出力された印刷シート７００をユーザが目視によって確認し、携帯情報端末１５０によって複数のレイアウトテンプレート７０３の中から任意のレイアウトテンプレートの番号を選択決定することによりおこなわれる。このステップＳ３０６において、選択決定された任意のレイアウトテンプレートを示す情報は、印刷装置１００に送信されてもよい。印刷装置１００は、この情報に基づいて、選択決定された任意のレイアウトテンプレートを複数のレイアウトテンプレートから抽出する。
【００７２】
図８は、ステップＳ３０６の処理によって任意のレイアウトテンプレートを選択決定する携帯情報端末１５０の表示画面の一例を示す図である。表示画面１５５には、複数のレイアウトテンプレート７０３が印刷出力されたこと、およびユーザに対して任意のレイアウトテンプレートの選択を促す旨の『レイアウトテンプレート印刷完了。所望するレイアウトテンプレートを選択してください。』という確認文が表示されるとともに、ユーザによって、たとえば（６）番のレイアウトテンプレート７０３を選択決定するために数字が入力された入力欄８０１と、入力欄８０１に入力された数字に基づいて選択されたレイアウトテンプレート７０３のサムネイルが表示された表示欄８０２とが表示されている。
【００７３】
ステップＳ３０６において任意のレイアウトテンプレート７０３を選択決定すると、携帯情報端末１５０によって、たとえばテンプレートカタログデータの提供先のダウンロードサイトから、選択決定した任意のレイアウトテンプレート７０３をダウンロードして取得する（ステップＳ３０７）。なお、上記ステップＳ３０３において、取得したテンプレートカタログデータにフルサイズのレイアウトテンプレート７０３が含まれており、ステップＳ３０４において、フルサイズのレイアウトテンプレート７０３を含むこのテンプレートカタログデータを印刷装置１００に送信した場合は、上記ステップＳ３０７におけるダウンロード処理は不要となり、ステップＳ３０６において、選択決定したレイアウトテンプレート７０３を示す情報を携帯情報端末１５０から印刷装置１００に送信すればよい。これにより、印刷装置１００側で任意のレイアウトテンプレートを用いて処理をおこなうことができるようになる。
【００７４】
ステップＳ３０７において任意のレイアウトテンプレート７０３を取得したのち、携帯情報端末１５０によって、任意のレイアウトテンプレート７０３の文字入力領域７０２への文字情報の入力をおこなう（ステップＳ３０８）。
【００７５】
図９および図１０は、ステップＳ３０８の処理によって文字情報の入力をおこなう携帯情報端末１５０の表示画面１５５の一例を示す図である。なお、図９においては、あらかじめ設定された定型文から任意の文字情報を選択する場合の一例を示し、図１０においては、携帯情報端末１５０のユーザ操作部２０４から直接手入力により任意の文字情報を入力する場合の一例を示している。
【００７６】
すなわち、図９において、表示画面１５５には、たとえばユーザに対して、定型文をあらわす文字列から任意のものの選択を促す旨の『定型文を選択してください』という確認文が表示されるとともに、文字入力領域７０２に入力される定型文をあらわす文字列の選択項目９０１が表示されている。選択項目９０１には、たとえば『あけましておめでとうございます』、『謹賀新年』、『Ｈａｐｐｙ  Ｎｅｗ  Ｙｅａｒ』という文字列が表示され、ここでは、『あけましておめでとうございます』という文字列が選択されている。また、図１０において、表示画面１５５には、たとえば携帯情報端末１５０のユーザ操作部２０４からユーザによって直接文字入力領域７０２に手入力された文字情報に基づく氏名などの文字列が入力欄１００１に表示されている。なお、ステップＳ３０８における文字入力領域７０２への文字情報の入力処理は、このように定型文選択および手入力のいずれをもっておこなわれてもよい。
【００７７】
ステップＳ３０８において、文字入力領域への文字情報の入力をおこなったのち、携帯情報端末１５０によって、文字情報を印刷装置１００に対して送信し、印刷装置１００は、送信された文字情報を受信して（ステップＳ３０９）、任意のレイアウトテンプレート７０３の文字入力領域７０２に受信した文字情報を埋め込み合成する（ステップＳ３１０）。そして、印刷装置１００によって、文字入力領域７０２に文字情報が埋め込み合成されたレイアウトテンプレート７０３の画像データのイメージ画像７０１を印刷出力する（ステップＳ３１１）。これにより、本フローチャートによる一連の印刷処理を終了する。
【００７８】
図１１は、ステップＳ３１１の処理によって印刷出力された画像の一例を示す図である。図１１において、出力画像１１０１は、選択されたレイアウトテンプレート７０３によってあらわされたイメージ画像７０１と、入力された文字情報の文字列１１０２と、が合成処理されたものである。なお、文字情報の合成処理は、携帯情報端末１５０側でおこなってもよい。このように、この実施の形態の印刷装置１００では、携帯情報端末１５０からテンプレートカタログデータや文字情報を受信して、レイアウトテンプレート７０３のレイアウトで文字情報が合成された画像を作成することができる。なお、上記ステップＳ３０１〜Ｓ３０４およびステップＳ３０６〜Ｓ３０８の処理は、ユーザによって携帯情報端末１５０側でおこなわれるものであるが、印刷処理手順を説明する便宜上の観点から、図３のフローチャートにおいて記載した。また、携帯情報端末１５０の表示画面１５５に表示される各種情報は、印刷装置１００のディスプレイ２０５に適宜表示されてもよい。
【００７９】
以上説明したように、この発明の実施の形態の印刷装置によれば、文字入力領域があらかじめ設定されたレイアウトテンプレートを複数有するテンプレートカタログデータから、携帯情報端末によって選択された任意のレイアウトテンプレートを抽出して用いることで、当該レイアウトテンプレートに設定された画像データのイメージ画像上の文字入力領域に携帯情報端末から受信した文字情報が埋め込み合成され印刷出力される。これにより、携帯情報端末から各種情報を受信するといった簡単な作業で文字情報を合成したレイアウトテンプレートの画像データを印刷することができ、画像印刷処理におけるユーザにとっての煩雑な作業の軽減を図ることができる。
【００８０】
また、レイアウトテンプレートを複数有するテンプレートカタログデータに基づいて、提示された複数のレイアウトテンプレートから携帯情報端末によって選択された任意のレイアウトテンプレートを抽出して利用することができ、レイアウトテンプレートを選択して指定する処理などに関してユーザが容易かつ直感的に作業することができる。
【００８１】
また、この発明の実施の形態の印刷装置によれば、取得されたテンプレートカタログデータの複数のレイアウトテンプレートは、たとえば所定の印刷用紙などに印刷される。これにより、複数のレイアウトテンプレートの中から、任意のレイアウトテンプレートを選択する際に、印刷された複数のレイアウトテンプレートを視認しながら容易かつ直感的に選択することができる。
【００８２】
加えて、この発明の実施の形態の印刷装置によれば、取得されたテンプレートカタログデータの複数のレイアウトテンプレートは、テンプレートカタログデータの提供先を示す情報とともに提示される。これにより、取得したテンプレートカタログデータの提供先を容易かつ直感的に確認することができる。
【００８３】
また、この発明の実施の形態の携帯情報端末によれば、文字入力領域があらかじめ設定されたレイアウトテンプレートを複数有するテンプレートカタログデータが取得され、任意のレイアウトテンプレートの文字入力領域に文字情報が入力されて、テンプレートカタログデータと文字情報とが印刷装置に送信される。これにより、携帯情報端末からテンプレートカタログデータと文字情報とを印刷装置に対して送信し、印刷装置に文字情報が入力された画像データの印刷をおこなわせることができる。
【００８４】
なお、本実施の形態で説明した印刷方法は、あらかじめ用意されたプログラムを、たとえば印刷装置に組み込まれたコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８５】
【図１】印刷装置および携帯情報端末の機能的構成の一例を示すブロック図。
【図２】印刷装置のハードウェア構成の一例を示すブロック図。
【図３】印刷処理手順の一例を示すフローチャート。
【図４】携帯情報端末の表示画面の一例を示す図。
【図５】携帯情報端末の表示画面の一例を示す図。
【図６】携帯情報端末の表示画面の一例を示す図。
【図７】レイアウトテンプレートの印刷シートの一例を示す図。
【図８】携帯情報端末の表示画面の一例を示す図。
【図９】携帯情報端末の表示画面の一例を示す図。
【図１０】携帯情報端末の表示画面の一例を示す図。
【図１１】印刷出力された画像の一例を示す図。
【符号の説明】
【００８６】
１００  印刷装置、１０１，１５１  取得部、１０２，１５２  提示部、１０３  抽出部、１０４  受信部、１０５  合成処理部、１０６  印刷部、１０７，１５５  表示画面、１５３  文字情報入力部、１５４  送信部、２０１  ＣＰＵ、２０２  ＲＯＭ、２０３  ＲＡＭ、２０４  ユーザ操作部、２０５  ディスプレイ、２０６  Ｉ／Ｆ、２０７  ＨＤＤ、２０８  ＨＤ、２０９  記録媒体デコード部、２１０  記録媒体、２１１  印刷出力部、７００  印刷シート、７０２  文字入力領域、７０３  レイアウトテンプレート、７０４，１１０２  文字列
【図１】
2006272725.tif 000003
【図２】
2006272725.tif 000004
【図３】
2006272725.tif 000005
【図４】
2006272725.tif 000006
【図５】
2006272725.tif 000007
【図６】
2006272725.tif 000008
【図７】
2006272725.tif 000009
【図８】
2006272725.tif 000010
【図９】
2006272725.tif 000011
【図１０】
2006272725.tif 000012
【図１１】
2006272725.tif 000013